【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
外部機器とデータを送受信する送受信手段と、被検体の画像を医用画像として取得する画像取得手段と、操作者に情報を通知する通知手段と、前記送受信手段と前記画像取得手段と前記通知手段との動作を制御する制御手段と、を備える医用画像取得装置であって、
前記制御手段は、
当該医用画像取得装置と前記送受信手段を介して接続される外部機器から検査対象の被検体を特定する被検体情報と検査内容を特定する検査情報とを含むワークリストを取得するリスト取得手段と、
前記リスト取得手段が取得した２つのワークリスト間の整合性を判別する判別手段と、
検査開始前に、前記リスト取得手段に前記ワークリストを取得させ、取得したワークリストを実行ワークリストとして保持する検査前処理手段と、
前記実行ワークリストに従って、前記画像取得手段を動作させて前記医用画像を取得するとともに、前記実行ワークリストから前記医用画像に付帯させる付帯情報を生成する検査実行手段と、
検査終了時の処理を行う検査後処理手段と、を備え、
前記検査後処理手段は、前記リスト取得手段に前記検査対象の被検体の最新のワークリストを取得させるとともに、前記判別手段に前記実行ワークリストと前記最新のワークリストとの整合性を判別させ、判別結果に基づき、前記送受信手段および前記通知手段のいずれかに予め定めた処理を行わせること
を特徴とする医用画像取得装置。
【請求項２】
請求項１記載の医用画像取得装置であって、
前記検査後処理手段は、
前記判別手段が整合性有りと判別した場合、前記送受信手段に、前記付帯情報とともに前記医用画像を外部機器に送信させ、
前記判別手段が整合性無しと判別した場合、前記通知手段に、整合性無しとの情報を通知させること
を特徴とする医用画像取得装置。
【請求項３】
請求項１または２記載の医用画像取得装置であって、
操作者からの指示を受け付ける受付手段をさらに備え、
前記判別手段は、前記検査情報毎に、前記整合性を判別し、
前記検査後処理手段は、前記判別手段が整合性無しと判別した場合、前記受付手段を介して、操作者からの指示を受け付け、受け付けた指示に従って処理を行うこと
を特徴とする医用画像取得装置。
【請求項４】
請求項３記載の医用画像取得装置であって、
前記検査後処理手段は、前記判別手段が整合性無しと判別した場合、前記付帯情報とともに前記医用画像を送信する、前記最新のワークリストから新たな付帯情報を生成し、当該付帯情報とともに前記医用画像を送信する、および、前記医用画像を送信しない、のいずれかの指示を受け付ける表示を行い、当該表示を介して前記操作者からの指示を受け付けること
を特徴とする医用画像取得装置。
【請求項５】
請求項１または２記載の医用画像取得装置であって、
操作者からの指示を受け付ける受付手段をさらに備え、
前記判別手段は、前記被検体情報および前記検査情報のそれぞれについて、被検体情報、検査情報の順に不整合の有無を判別し、
前記検査後処理手段は、
前記被検体情報に不整合があると判別された場合、操作者に前記付帯情報を前記最新のワークリストから生成する新たな付帯情報で更新するか否かの選択を受け付け、
前記検査情報に不整合があると判別された場合、当該検査情報を不整合データとして操作者に通知すること
を特徴とする医用画像取得装置。
【請求項６】
請求項１から５いずれか１項記載の医用画像取得装置であって、
前記リスト取得手段は、当該医用画像取得装置が前記送受信手段を介して前記外部機器に接続されたことを受け、前記ワークリストを取得すること
を特徴とする医用画像取得装置。
【請求項７】
請求項１から５いずれか１項記載の医用画像取得装置であって、
前記リスト取得手段は、操作者からの指示に従って、前記ワークリストを取得すること
を特徴とする医用画像取得装置。
【請求項８】
請求項１から７いずれか１項記載の医用画像取得装置であって、
当該医用画像取得装置は、超音波検査装置であること
を特徴とする医用画像取得装置。
【請求項９】
請求項１から８いずれか１項記載の医用画像取得装置であって、
前記送受信手段は、ネットワークを介して前記外部機器と前記データの送受信を行うこと
を特徴とする医用画像取得装置。
【請求項１０】
請求項９記載の医用画像取得装置であって、
前記ネットワークは、ＤＩＣＯＭネットワークであること
を特徴とする医用画像取得装置。
【請求項１１】
被検体を特定する被検体情報と検査内容を特定する検査情報とを含むワークリストを管理するワークリストサーバと、被検体の画像を取得する医用画像取得装置と、前記医用画像取得装置が取得した画像を管理する画像管理サーバとが、ネットワークを介して接続される医用画像管理システムであって、
前記医用画像取得装置は、請求項９または１０記載の医用画像取得装置であって、
前記リスト取得手段は、前記ワークリストサーバから前記ワークリストを取得し、
前記検査後処理手段は、前記画像管理サーバに前記付帯情報とともに前記画像取得手段が取得した画像を送信すること
を特徴とする医用画像管理システム。
【請求項１２】
医用画像取得装置で取得した医用画像を管理する医用画像管理方法であって、
外部機器から検査対象の被検体のワークリストを取得し実行ワークリストとして保持する実行ワークリスト取得ステップと、
前記実行ワークリストに従って、前記被検体の医用画像を取得するとともに、前記実行ワークリストから当該医用画像に付帯させる付帯情報を生成する画像取得ステップと、
前記外部機器から、前記検査対象の被検体の最新のワークリストを取得する最新ワークリスト取得ステップと、
前記実行ワークリストと前記最新のワークリストとの整合性を判別する判別ステップと、
判別結果に基づき、予め定めた処理を行う後処理ステップと、
を特徴とする医用画像管理方法。
【請求項１３】
請求項１２記載の医用画像管理方法であって、
前記後処理ステップは、
前記判別結果が整合性有りの場合、前記付帯情報とともに前記取得した医用画像を外部機器に送信し、
前記判別結果が整合性無しの場合、整合性がないことを操作者に通知すること、
を特徴とする医用画像管理方法。
【請求項１４】
請求項１３記載の医用画像管理方法であって、
前記後処理ステップは、前記通知に応じて操作者から更新の指示を受け付けると、前記最新のワークリストから前記付帯情報を生成し、当該付帯情報とともに前記医用画像を前記外部機器に送信すること
を特徴とする医用画像管理方法。
【手続補正２】
【補正対象書類名】明細書
【補正対象項目名】００１９
【補正方法】変更
【補正の内容】
【００１９】
本図に示すように、本実施形態の医用画像管理システム１００は、病院等の施設内に設置されたＬＡＮ（Ｌｏｃａｌ  Ａｒｅａ  Ｎｅｔｗｏｒｋ）などの通信ネットワーク１１０と、ワークリストサーバ１２０と、画像管理サーバ１３０と、医用画像取得装置１４０と、を備え、ワークリストサーバ１２０、画像管理サーバ１３０および医用画像取得装置１４０は、通信ネットワーク１１０に接続される。接続されるワークリストサーバ１２０、画像管理サーバ１３０、医用画像取得装置１４０の数に限定はない。また、通信ネットワーク１１０には、図示しない端末等も接続される。
【手続補正３】
【補正対象書類名】明細書
【補正対象項目名】００５０
【補正方法】変更
【補正の内容】
【００５０】
以上説明したように、本実施形態によれば、検査終了後、医用画像を画像管理サーバ１３０に登録する前に、被検体毎に、最新のワークリストの内容を確認する。そして、実行時に用いたワークリストと、最新のワークリストとの間に不整合がある場合、操作者にそれを通知する。操作者は、その通知を見て、必要であれば、検査をやり直すことができる。
【手続補正４】
【補正対象書類名】明細書
【補正対象項目名】００５９
【補正方法】変更
【補正の内容】
【００５９】
当該被検体について、実行ワークリストに登録される全検査の処理が終了すると、検査後処理部３１５は、リスト取得部３１１にワークリストサーバ１２０へ当該被検体のワークリスト要求を送信させ（ステップＳ１３０７）、最新ワークリストを取得する（ステップＳ１３０８）。
【手続補正５】
【補正対象書類名】明細書
【補正対象項目名】０１０１
【補正方法】変更
【補正の内容】
【０１０１】
そして、制御部３１０は、不整合データがあるか否かを判別し（ステップＳ１７１６）、不整合データがなければ、処理を終了する。一方、不整合データがある場合、データ保存部３６０に保持される実行ワークリストを、当該不整合データで更新し、ステップＳ１７０３へ移行する。